(57)【要約】【課題】  装置のコンパクト化を図る。【解決手段】  吸引・送風手段と、前記吸引・送風手段から送給された空気を、清浄空気としてホコリ除去エリアに吹き出す清浄空気吹き出し面と、前記吸引・送風手段によって、前記ホコリ除去エリアから空気およびホコリを吸引するホコリ回収面とを備え、前記清浄空気吹き出し面から吹き出した空気がホコリ回収面で回収されて循環するホコリ回収機であって、前記清浄空気吹き出し面の面積を、ホコリ回収面の面積よりも小さく設定する。【選択図】  図１
2018176041.tif 000002
【特許請求の範囲】
【請求項１】
吸引・送風手段と、前記吸引・送風手段から送給された空気を、清浄空気としてホコリ除去エリアに吹き出す清浄空気吹き出し面と、前記吸引・送風手段によって、前記ホコリ除去エリアから空気およびホコリを吸引するホコリ回収面とを備え、前記清浄空気吹き出し面から吹き出した空気がワークから除去したホコリを回収するホコリ回収面で回収されて循環するホコリ回収機であって、
前記清浄空気吹き出し面の面積が、ホコリ回収面の面積よりも小さく設定されていることを特徴とするホコリ回収機。
【請求項２】
清浄空気吹き出し面とホコリ回収面とは、扇状に広がるように配置され、これによって前記ホコリ除去エリアは扇状に規定されることを特徴とする請求項１記載のホコリ回収機。
【請求項３】
清浄空気吹き出し面とホコリ回収面との広がり角度が６０度〜１２０度に設定されていることを特徴とする請求項２記載のホコリ回収機。
【請求項４】
前記扇状のホコリ除去エリアで、清浄空気吹き出し面からホコリ回収面に向かう空気流は、扇状空間の奥部に近いほど低速であることを特徴とする請求項２または３に記載のホコリ回収機。
【請求項５】
清浄空気吹き出し面は、清浄空気吹出ユニットに設けられ、前記清浄空気吹出ユニットには、
前記吸引・送風手段から送給された空気を清浄化するフィルタと、
前記フィルタの上流側表面に沿って配置された整流板であって、前記吸引・送風手段から送給された空気が前記扇状空間の手前の方向に回り込んで、前記フィルタの上流側表面にそって扇状空間の奥部の方向に流れつつ、そのときの静圧低下により、清浄空気吹き出し面からホコリ回収面に向かう空気量を、扇状空間の奥部に近いほど低下させることを特徴とする請求項４記載のホコリ回収機。
【請求項６】
前記整流板は、前記フィルタの上流側表面に対して平行となるように配置されていることを特徴とする請求項５記載のホコリ回収機。
【請求項７】
前記整流板は、前記フィルタの上流側表面との距離が、前記扇状空間の奥部の方向に向かって減少するように配置されていることを特徴とする請求項５記載のホコリ回収機。
【発明の詳細な説明】
【技術分野】
【０００１】
本発明は、ワーク等の清浄化に際して、ホコリを回収するためのホコリ回収機に関する。
【背景技術】
【０００２】
図５に示すように、従来、ワークＷの清浄化のためのブースＢＴにはホコリ回収機Ｃ１００が設けられ、ホコリ回収機Ｃ１００は、ブースＢＴ内部の空気Ａ１をファンＣ１１０によって吸引して、フィルタＣ１２０によって浄化するとともに、浄化した空気Ａ２を、ブースＢＴ周囲の環境に供給していた。浄化した空気Ａ２は、ブースＢＴ周囲の環境を循環しつつブースＢＴ内部に導入され、ブースＢＴ内部の浄化に寄与する。
【０００３】
ブースＢＴでは、例えば、作業者ＷＲがワークＷにエアブローＡＢからの清浄空気Ａ３を吹き付けて、表面に付着したホコリを剥離、除去し、除去したホコリＤを空気Ａ１とともに、ホコリ回収機Ｃ１００によって回収する。
【０００４】
ワークＷのホコリを除去しても、作業者ＷＲや外部環境のホコリＤＯがブースＢＴ内に侵入してワークＷに再付着するという致命的な問題があった。
従来方式の別のものを図６に示す。本方式では、ホコリを含む外気を吸入するのを防止するため、内気循環方式を用いる。図中図５と同一もしくは相当部分には同一符号を付す。また符号Ａ４は循環される空気を示す。この場合、ホコリ回収面Ｃ１４０の面積と清浄空気吹き出し口Ｃ１３０の面積が等しい。ホコリ回収面Ｃ１４０は四方に飛散するホコリＤを集めるため大面積にする。そのため、清浄空気吹き出し面Ｃ１３０も同様に大きくなり、全体装置としても大きくなり、設置場所に困っている。
【発明の概要】
【発明が解決しようとする課題】
【０００５】
本発明は、このような従来の問題を解消すべく創案されたもので、外気に含まれるホコリの再付着がないホコリ回収機を提供する。また、より小型のホコリ回収機を提供することを目的とする。
【課題を解決するための手段】
【０００６】
前記目的を達成するために、請求項１のホコリ回収機は、吸引・送風手段と、前記吸引・送風手段から送給された空気を、清浄空気としてホコリ除去エリアに吹き出す清浄空気吹き出し面と、前記吸引・送風手段によって、前記ホコリ除去エリアから空気およびホコリを吸引するホコリ回収面とを備え、前記清浄空気吹き出し面から吹き出した空気がワークから除去したホコリを回収するホコリ回収面で回収されて循環するホコリ回収機であって、前記清浄空気吹き出し面の面積が、ホコリ回収面の面積よりも小さく設定されている。
【０００７】
請求項２記載のホコリ回収機は、清浄空気吹き出し面とホコリ回収面とは、扇状に広がるように配置され、これによって前記ホコリ除去エリアは扇状に規定される。
これによって、ホコリ除去エリアの間口を広げ、作業性を向上し得る。
そして、請求項３記載のホコリ回収機は、清浄空気吹き出し面とホコリ回収面との広がり角度が６０度〜１２０度に設定される。
【０００８】
請求項４記載のホコリ回収機は、前記扇状のホコリ除去エリアで、清浄空気吹き出し面からホコリ回収面に向かう空気流は、手前から奥にいくほど（前記扇状空間の奥部に近いほど）低速である。
これによって、空気流は層流となり、周囲環境からホコリ除去エリア内への汚染空気の流入が防止される。
【０００９】
請求項５記載のホコリ回収機においては、清浄空気吹き出し面は、清浄空気吹出ユニットに設けられ、前記清浄空気吹出ユニットには、前記吸引・送風手段から送給された空気を清浄化するフィルタと、前記フィルタの上流側表面に沿って配置された整流板があって、前記吸引・送風手段から送給された空気が前記扇状空間の外周方向（手前側）に回り込んで、前記フィルタの上流側表面に沿って扇状空間の奥側の方向に流れつつ、そのときの静圧低下により、清浄空気吹き出し面からホコリ回収面に向かう空気量を、前記扇状空間の奥部に近いほど低下させる。これによって、清浄空気吹き出し面からホコリ回収面に向かう空気流は層流となり、周囲環境からホコリ回収エリアへの汚染空気流入を防止し得る。
【００１０】
請求項６記載のホコリ回収機においては、前記整流板は、前記フィルタの上流側表面に対して平行となるように配置され、整流板を回り込む流れの圧力損失によって、清浄空気吹き出し面からホコリ回収面に向かう空気流を、前記扇状空間の奥部に近いほど低速とし得る。
【００１１】
請求項７記載のホコリ回収機においては、前記整流板は、前記フィルタの上流側表面との距離が、前記扇状空間の奥部の方向に向かって減少するように配置し、清浄空気吹き出し面からホコリ回収面に向かう空気流の、扇状空間の奥部方向への速度低下をより顕著なものとし得る。
【発明の効果】
【００１２】
本発明によれば、外気を吸入しないため、ホコリの再付着がないホコリ回収機を実現できる。また装置全体をコンパクト化する。
【図面の簡単な説明】
【００１３】
【図１】本発明に係るホコリ回収機の実施例１を示すブロック図である。
【図２】本発明に係る清浄空間維持装置の実施例２を示すブロック図である。
【図３】図２における清浄空気吹出ユニットを示す拡大断面図である。
【図４】図３の清浄空気吹出ユニットの変形例を示す拡大断面図である。
【図５】従来のホコリ回収機を示す断面図である。
【図６】従来の別のホコリ回収機を示す断面図である。
【発明を実施するための形態】
【実施例】
【００１４】
次に、本発明に係るホコリ回収機の実施例１を、図１を参照しつつ説明する。
（実施例１）
【００１５】
図１に示すように、ホコリ回収機１００は、清浄空気吹出ユニット１５０、使用済空気回収ユニット１６０、空気吸引・送風機１７０を有し、空気吸引・送風機１７０は送風側配管１８０、吸引側配管１９０をそれぞれ介して、清浄空気吹出ユニット１５０、使用済空気回収ユニット１６０に接続されている。清浄空気吹出ユニット１５０には、清浄空気を吹き出す清浄空気吹き出し面１３０が設けられ、使用済空気回収ユニット１６０には、使用済み空気とともにホコリＤを回収するホコリ回収面１４０が設けられており、清浄空気吹出ユニット１５０、使用済空気回収ユニット１６０は、清浄空気吹き出し面１３０、ホコリ回収面１４０が対向するように配置されている。
【００１６】
使用済空気回収ユニット１６０のホコリ回収面１４０には、フィルタ１２５が設けられ、回収する除塵に使用済み空気Ａ１を浄化する。一方、清浄空気吹出ユニット１５０の清浄空気吹き出し面１３０にはフィルタ１２０が設けられ、フィルタ１２５で浄化された空気Ａ４をさらに浄化して、清浄空気吹き出し面１３０から吹き出す空気Ａ２の清浄度を確保する。
【００１７】
清浄空気吹き出し面１３０とホコリ回収面１４０との間の空間はホコリ除去エリアＣＡとされ、作業者ＷＲがワークＷに付着したホコリを除去するための作業等が実施される。図中ＡＧはホコリ除去作業に使用されるエアガンである。
【００１８】
ホコリ回収機１００は、空気吸引・送風機１７０によって圧送した清浄空気を清浄空気吹き出し面１３０から吹き出し、この清浄空気によってホコリ除去エリアＣＡを清浄に保ち、エアガンＡＧで除去されたホコリとともに、使用済の空気をホコリ回収面１４０で吸引・回収して、空気吸引・送風機１７０に戻す。ホコリ除去に使用される空気Ａ１は、清浄空気吹き出し面１３０より吹き出す空気Ａ２と比較して量的に無視できる程少なく、大部分の空気は循環・再生され、内気循環型のシステムが実現され、周囲環境からの汚染空気の流入を防止し得るとともに、周囲環境の大気汚染を防止し得る。
【００１９】
清浄空気吹き出し面１３０の面積は、ホコリ回収面１４０の面積に比較して小さく設定され、清浄空気Ａ２はホコリ除去エリアＣＡ内で、ホコリ回収面１４０に向かって満遍なく広がり、周囲環境からの汚染空気流入を防止し得る。
そして、清浄空気吹き出し面１３０の面積を、ホコリ回収面１４０の面積に比較して小さく設定したことにより、ホコリ回収機１００全体をコンパクト化し得る。
【００２０】
次に、本発明に係る清浄空間維持装置の実施例２を、図２、図３を参照しつつ説明する。なお、図中、実施例１と同一もしくは相当部分には同一符号を付し、説明を省略する。
【００２１】
図２にしめすように、ホコリ回収機１００における清浄空気吹き出し面１３０とホコリ回収面１４０とは、ホコリ回収エリアＣＡ上で、作業者ＷＲに向かって広がるように扇型に配置され、その広がり角度は６０度〜１２０度の範囲に設定されている。
このように、作業者ＷＲに向かって広がるホコリ回収エリアＣＡを規定することによって間口が広くなり作業性が良好となる。
【００２２】
ホコリ回収エリアＣＡの扇状空間の奥側の境界は、仕切壁２００によって仕切られ、清浄空気吹き出し面１３０からホコリ回収面１４０に至る空気流や除塵に使用済空気Ａ１の、ホコリ回収エリアＣＡ外への漏出、周囲環境からホコリ回収エリアＣＡへの汚染空気流入が防止されている。仕切壁２００は清浄空気吹出ユニット１５０、使用済空気回収ユニット１６０に結合され、ユニット１５０、１６０によって支持されている。
【００２３】
図３に示すように、清浄空気吹出ユニット１５０には、フィルタ１２０の上流側に、バッファ空間２１０が設けられ、バッファ空間２１０内には、空気Ａ４の流速を調節する整流板２２０が設けられている。整流板２２０は、ホコリ回収エリアＣＡの高さ方向に立ち上がりつつ、扇状空間の奥部から半径方向に延び、かつその外周端がバッファ空間２１０の内面との間に隙間を有する。そして、整流板２２０は、フィルタ１２０の上流側表面１２０Ｆに略平行に延在している。
【００２４】
送風側配管１８０からバッファ空間２１０に流入した空気Ａ４は、整流板２２０の扇状空間の奥部から手前方向に案内され、手前端を回り込んで、フィルタ１２０に沿って、扇状空間の奥部方向に流れつつ、フィルタ１２０に流入する。従って、整流板２２０に沿って扇状空間の奥部方向に流れる空気Ａ４は、扇状空間の奥部に近づくにつれて、流路抵抗による静圧低下が生じ、フィルタ１２０を透過する風量が減少する。これによって、フィルタ１２０を通過した空気Ａ２は手前側から扇状空間の奥部に向かって風量が減少し、清浄空気吹き出し面１３０からホコリ回収面１４０に至る空気流Ａ２の風量分布は扇状空間の奥部の方向に向かって低下する。
このため、空気流Ａ２は層流となり、周囲環境からホコリ回収エリアＣＡへの汚染空気の流入を防止し得る。
【００２５】
次に、図３の整流板の変形例を図４を参照しつつ説明する。なお、図中、図３と同一もしくは相当部分には同一符号を付し、説明を省略する。
【００２６】
図４に示すように、整流板２２０は、フィルタ１２０に対して、傾斜し、扇状空間の奥部の方向に向かって、フィルタ１２０の上流側表面１２０Ｆとの距離が狭められている。
これによって、整流板２２０の手前端を回り込んだ空気Ａ４が、フィルタ１２０に沿って、扇状空間の奥部の方向に流れるとき、図３の場合に比較して、流路断面積減少が著しい。このため、空気Ａ４に対する流路抵抗が扇状空間の奥部の方向に向かって増大し、空気Ａ２の流速の扇状空間の奥部の方向に向かう風量低下が著しく、図３の構成よりも、空気Ａ２の層流化効果が著しい。
【符号の説明】
【００２７】
１００  ホコリ回収機
１２０、１２５  フィルタ
１２０Ｆ  上流側表面
１３０  清浄空気吹き出し面
１４０  ホコリ回収面
１５０  清浄空気吹出ユニット
１６０  使用済空気回収ユニット
１７０  空気吸引・送風機
１８０  送風側配管
１９０  吸引側配管
２００  仕切壁
２１０  バッファ空間
２２０  整流板
Ｃ１００  ホコリ回収機
Ｃ１１０  ファン
Ｃ１２０  フィルタ
Ｃ１３０  清浄空気吹き出し面
Ｃ１４０  ホコリ回収面
Ａ１、Ａ２、Ａ３  空気
ＡＢ  エアブロー
ＡＧ  エアガン
ＢＴ  ブース
ＣＡ  ホコリ除去エリア
Ｄ、ＤＯ  ホコリ
Ｗ  ワーク
ＷＲ  作業者
【図１】
2018176041.tif 000003
【図２】
2018176041.tif 000004
【図３】
2018176041.tif 000005
【図４】
2018176041.tif 000006
【図５】
2018176041.tif 000007
【図６】
2018176041.tif 000008